(57)【特許請求の範囲】
【請求項１】
被写体の放射線画像を撮影する仕様形態の異なる複数の撮影装置と、
前記撮影装置の前記仕様形態に対応した仕様形態からなり、当該撮影装置を制御する一方、当該撮影装置から取得した放射線画像情報の画像処理を行う複数の処理装置と、
前記撮影装置の前記仕様形態に応じ、且つ、処理可能な状態にある前記処理装置の１つを選択し、選択した前記１つの処理装置に、前記撮影装置に対する撮影指示情報を供給する供給装置と、
を備え、
前記撮影指示情報は、前記被写体の情報と前記撮影装置による撮影条件とであり、
前記供給装置は、
前記撮影指示情報によって指定された前記撮影装置を制御する前記処理装置が、処理可能な状態にあるか否かを判定し、該処理装置が処理不可能な状態にあれば、処理可能な状態にある他の処理装置を検索し、
処理可能な状態にある複数の処理装置を検索できたときに前記複数の処理装置の中から１つの処理装置を前記他の処理装置として選択し、あるいは、処理可能な状態にある１つの処理装置のみ検索できたときに当該１つの処理装置を前記他の処理装置として選択し、
一方で、処理可能な状態にある処理装置を検索できなかったときに、処理可能な状態にある処理装置が検索できるまで待つか、あるいは、複数の処理装置の中から最も速く処理が完了すると予想される処理装置を前記他の処理装置として仮決めすることを特徴とする放射線画像撮影システム。
【請求項２】
請求項１記載のシステムにおいて、
前記供給装置は、前記各処理装置に供給する前記撮影指示情報を記憶する記憶手段を有することを特徴とする放射線画像撮影システム。
【請求項３】
請求項１又は２記載のシステムにおいて、
前記供給装置は、前記処理装置の１つであることを特徴とする放射線画像撮影システム。
【請求項４】
被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に応じ、且つ、処理可能な状態にある前記処理装置の１つを選択し、選択した前記１つの処理装置に、前記撮影装置に対する撮影指示情報を供給し、
前記撮影指示情報は、前記被写体の情報と前記撮影装置による撮影条件とであり、
前記撮影指示情報によって指定された前記撮影装置を制御する前記処理装置が、処理可能な状態にあるか否かを判定し、該処理装置が処理不可能な状態にあれば、処理可能な状態にある他の処理装置を検索し、
処理可能な状態にある複数の処理装置を検索できたときに前記複数の処理装置の中から１つの処理装置を前記他の処理装置として選択し、あるいは、処理可能な状態にある１つの処理装置のみ検索できたときに当該１つの処理装置を前記他の処理装置として選択し、
一方で、処理可能な状態にある処理装置を検索できなかったときに、処理可能な状態にある処理装置が検索できるまで待つか、あるいは、複数の処理装置の中から最も速く処理が完了すると予想される処理装置を前記他の処理装置として仮決めすることを特徴とする撮影指示情報の供給装置。
【請求項５】
被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
供給装置から前記処理装置に、前記撮影装置に対する撮影指示情報を供給するために、当該供給装置に実行させるプログラムであって、
前記撮影装置の前記仕様形態に応じ、且つ、処理可能な状態にある前記処理装置の１つを選択するステップと、
選択した前記１つの処理装置に、前記供給装置から前記撮影装置に対する撮影指示情報を供給するステップと、
を有し、
前記撮影指示情報は、前記被写体の情報と前記撮影装置による撮影条件とであり、
前記処理装置の１つを選択するステップでは、
前記撮影指示情報によって指定された前記撮影装置を制御する前記処理装置が、処理可能な状態にあるか否かを判定し、該処理装置が処理不可能な状態にあれば、処理可能な状態にある他の処理装置を検索し、
処理可能な状態にある複数の処理装置を検索できたときに前記複数の処理装置の中から１つの処理装置を前記他の処理装置として選択し、あるいは、処理可能な状態にある１つの処理装置のみ検索できたときに当該１つの処理装置を前記他の処理装置として選択し、
一方で、処理可能な状態にある処理装置を検索できなかったときに、処理可能な状態にある処理装置が検索できるまで待つか、あるいは、複数の処理装置の中から最も速く処理が完了すると予想される処理装置を前記他の処理装置として仮決めすることを特徴とするプログラム。
【請求項６】
被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に応じ、且つ、処理可能な状態にある前記処理装置の１つを選択するステップと、
選択した前記１つの処理装置に、供給装置から前記撮影装置に対する撮影指示情報を供給するステップと、
を有し、
前記撮影指示情報は、前記被写体の情報と前記撮影装置による撮影条件とであり、
前記処理装置の１つを選択するステップでは、
前記撮影指示情報によって指定された前記撮影装置を制御する前記処理装置が、処理可能な状態にあるか否かを判定し、該処理装置が処理不可能な状態にあれば、処理可能な状態にある他の処理装置を検索し、
処理可能な状態にある複数の処理装置を検索できたときに前記複数の処理装置の中から１つの処理装置を前記他の処理装置として選択し、あるいは、処理可能な状態にある１つの処理装置のみ検索できたときに当該１つの処理装置を前記他の処理装置として選択し、
一方で、処理可能な状態にある処理装置を検索できなかったときに、処理可能な状態にある処理装置が検索できるまで待つか、あるいは、複数の処理装置の中から最も速く処理が完了すると予想される処理装置を前記他の処理装置として仮決めすることを特徴とする撮影指示情報の供給方法。
【請求項７】
仕様形態の異なる複数の撮影装置と、前記撮影装置の前記仕様形態に対応した仕様形態からなる複数の処理装置とがある場合に、
前記撮影装置の前記仕様形態に応じ、且つ、処理可能な状態にある前記処理装置の１つを選択するステップと、
選択した前記１つの処理装置に、供給装置から撮影指示情報を供給するステップと、
前記１つの処理装置が前記撮影指示情報に従って前記撮影装置を制御することにより、当該撮影装置が被写体の放射線画像の撮影を行うステップと、
前記１つの処理装置が前記撮影装置から放射線画像情報を取得して画像処理を行うステップと、
を有し、
前記撮影指示情報は、前記被写体の情報と前記撮影装置による撮影条件とであり、
前記処理装置の１つを選択するステップでは、
前記撮影指示情報によって指定された前記撮影装置を制御する前記処理装置が、処理可能な状態にあるか否かを判定し、該処理装置が処理不可能な状態にあれば、処理可能な状態にある他の処理装置を検索し、
処理可能な状態にある複数の処理装置を検索できたときに前記複数の処理装置の中から１つの処理装置を前記他の処理装置として選択し、あるいは、処理可能な状態にある１つの処理装置のみ検索できたときに当該１つの処理装置を前記他の処理装置として選択し、
一方で、処理可能な状態にある処理装置を検索できなかったときに、処理可能な状態にある処理装置が検索できるまで待つか、あるいは、複数の処理装置の中から最も速く処理が完了すると予想される処理装置を前記他の処理装置として仮決めすることを特徴とする放射線画像撮影方法。
【発明の詳細な説明】
【技術分野】
【０００１】
本発明は、仕様形態の異なる撮影装置を撮影指示情報に従って選択した処理装置により制御し、放射線画像の撮影を行う放射線画像撮影システム及び放射線画像撮影方法と、選択した処理装置に撮影指示情報を供給するための供給装置及びその供給方法と、撮影指示情報を供給するために供給装置に実行させるプログラムとに関する。
【背景技術】
【０００２】
医療分野において、被写体に放射線を照射し、被写体を透過した放射線を放射線変換パネルに導いて放射線画像を撮影する撮影装置が広汎に使用されている。
【０００３】
この場合、放射線変換パネルとして、蛍光体に放射線画像としての放射線エネルギを蓄積し、励起光を照射することで放射線画像を輝尽発光光として取り出すことのできる蓄積性蛍光体パネルが知られている。放射線画像が記録された蓄積性蛍光体パネルは、読取装置に供給して読取処理を行うことで、可視画像としての放射線画像を得ることができる。
【０００４】
また、手術室等の医療現場においては、患者に対して迅速且つ的確な処置を施すため、放射線変換パネルから直ちに放射線画像情報を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
これらの放射線変換パネルを使用して放射線画像を撮影する撮影装置には、被写体である患者の状態や、撮影部位等の撮影条件に応じた仕様形態の異なる種々のものがあり、それぞれが撮影装置の仕様形態に対応した仕様形態からなる処理装置によって制御される。これらの撮影装置及び処理装置を院内ネットワークを介して放射線科情報システム（ＲＩＳ）に接続し、ＲＩＳで設定した患者情報、撮影方法、撮影部位、放射線の照射線量を規定する撮影条件等の撮影指示情報を処理装置に供給し、対応する撮影装置を用いて放射線画像の撮影を行うようにしたシステムがある（特許文献１参照）。
【０００６】
ところで、ＲＩＳを用いて医師が撮影指示情報を設定する場合、使用する撮影装置を単位として撮影指示情報を設定しており、同一の患者の同一の検査に対して、異なる撮影装置を混在させて撮影を行おうとすると、撮影装置毎に撮影指示情報を設定しなければならず、その設定作業が非常に煩雑になってしまう。また、医師が指定した撮影装置が故障中又は準備中である場合、撮影現場の技師が使用する撮影装置を変更する必要が生じる。つまり、現場において、撮影指示情報の変更が必要となる場合がある。
【０００７】
また、ＲＩＳから供給される撮影指示情報の供給先である処理装置が固定されている場合、当該処理装置が撮影装置の処理や、撮影装置により取得した放射線画像情報に対する画像処理を行っているときには、その処理が完了するまで、当該処理装置を用いた次の処理を行うことができなくなってしまう。
【０００８】
一方、一般的なネットワークシステムにおいて、ネットワークに接続されている複数の処理装置間で負荷を分散する構成を採用したものがある。例えば、特許文献２に開示された印刷システムでは、分散印刷機能を有するホスト装置と、複数台の画像形成装置とをネットワークに接続し、印刷不可能な状態の画像形成装置がある場合、ホスト装置が印刷データを他の印刷可能な画像形成装置に転送して処理するようにしている。
【先行技術文献】
【特許文献】
【０００９】
【特許文献１】特開２００６−２４７１３７号公報
【特許文献２】特開２００４−３４１９１０号公報
【発明の概要】
【発明が解決しようとする課題】
【００１０】
しかしながら、特許文献１の場合、ネットワークに接続されている各画像形成装置が仕様形態の異なることを前提としたものではなく、同等な仕様形態の複数の画像形成装置から選択した画像形成装置が印刷できない状態にあるとき、他の画像形成装置を選択して印刷処理を行うことを開示しているに過ぎない。
【００１１】
本発明の目的は、撮影装置の仕様形態に対応した仕様形態からなる処理装置を選択して撮影指示情報を供給し、放射線画像の撮影処理を効率的に行うことにある。
【００１２】
また、本発明の目的は、撮影装置の仕様形態に対応した仕様形態からなり、処理可能な状態にある処理装置を選択して撮影指示情報を供給し、放射線画像情報の処理を効率的に行うことにある。
【課題を解決するための手段】
【００１３】
本発明に係る放射線画像撮影システムは、被写体の放射線画像を撮影する仕様形態の異なる複数の撮影装置と、
前記撮影装置の前記仕様形態に対応した仕様形態からなり、当該撮影装置を制御する一方、当該撮影装置から取得した放射線画像情報の画像処理を行う複数の処理装置と、
前記撮影装置に対する撮影指示情報を、前記撮影装置の前記仕様形態に応じて選択した前記処理装置に供給する供給装置と、
を備えることを特徴とする。
【００１４】
また、本発明に係る撮影指示情報の供給装置は、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に応じて前記処理装置を選択し、選択した前記処理装置に、前記撮影装置に対する撮影指示情報を供給することを特徴とする。
【００１５】
さらに、本発明に係るプログラムは、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
供給装置から前記処理装置に、前記撮影装置に対する撮影指示情報を供給するために、当該供給装置に実行させるプログラムであって、
前記撮影装置の前記仕様形態に応じて前記処理装置を選択するステップと、
選択した前記処理装置に、前記供給装置から前記撮影装置に対する撮影指示情報を供給するステップとを有することを特徴とする。
【００１６】
さらにまた、本発明に係る撮影指示情報の供給方法は、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に応じて前記処理装置を選択し、
選択した前記処理装置に、供給装置から前記撮影装置に対する撮影指示情報を供給することを特徴とする。
【００１７】
さらにまた、本発明に係る放射線画像撮影方法は、仕様形態の異なる複数の撮影装置と、前記撮影装置の前記仕様形態に対応した仕様形態からなる複数の処理装置とがある場合に、
前記撮影装置の前記仕様形態に応じて前記処理装置を選択し、
選択した前記処理装置に、供給装置から撮影指示情報を供給し、
前記処理装置が前記撮影指示情報に従って前記撮影装置を制御することにより、当該撮影装置が前記被写体の放射線画像の撮影を行い、
前記処理装置が前記撮影装置から放射線画像情報を取得して画像処理を行うことを特徴とする。
【００１８】
これらの発明では、撮影指示情報を仕様形態に応じて選択した処理装置に供給し、選択した処理処置により対応する撮影装置を制御して、放射線画像の撮影処理を効率的に行うことができる。
【００１９】
また、本発明に係る放射線画像撮影システムは、被写体の放射線画像を撮影する仕様形態の異なる複数の撮影装置と、
前記撮影装置の前記仕様形態に対応した仕様形態からなり、当該撮影装置を制御する一方、当該撮影装置から取得した放射線画像情報の画像処理を行う複数の処理装置と、
前記撮影装置に対する撮影指示情報を、前記撮影装置の前記仕様形態に対応し、且つ、処理可能な状態にある前記処理装置の１つを選択して供給する供給装置と、
を備えることを特徴とする。
【００２０】
さらに、本発明に係る撮影指示情報の供給装置は、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に対応し、且つ、処理可能な状態にある前記処理装置の１つを選択し、選択した前記１つの処理装置に、前記撮影装置に対する撮影指示情報を供給することを特徴とする。
【００２１】
さらにまた、本発明に係るプログラムは、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
供給装置から前記処理装置に、前記撮影装置に対する撮影指示情報を供給するために、当該供給装置に実行させるプログラムであって、
前記撮影装置の前記仕様形態に対応し、且つ、処理可能な状態にある前記処理装置の１つを選択するステップと、
選択した前記１つの処理装置に、前記供給装置から前記撮影装置に対する撮影指示情報を供給するステップとを有することを特徴とする。
【００２２】
さらにまた、本発明に係る撮影指示情報の供給方法は、被写体の放射線画像を撮影する仕様形態の異なる複数の撮影装置と、前記撮影装置の前記仕様形態に対応した仕様形態からなり、当該撮影装置を制御する一方、当該撮影装置から取得した放射線画像情報の画像処理を行う複数の処理装置とがある場合に、
前記撮影装置の前記仕様形態に対応し、且つ、処理可能な状態にある前記処理装置の１つを選択し、
選択した前記１つの処理装置に、供給装置から前記撮影装置に対する撮影指示情報を供給することを特徴とする。
【００２３】
さらにまた、本発明に係る放射線画像撮影方法は、仕様形態の異なる複数の撮影装置と、前記撮影装置の前記仕様形態に対応した仕様形態からなる複数の処理装置とがある場合に、
前記撮影装置の前記仕様形態に対応し、且つ、処理可能な状態にある前記処理装置の１つを選択し、
選択した前記１つの処理装置に、供給装置から撮影指示情報を供給し、
前記１つの処理装置が前記撮影指示情報に従って前記撮影装置を制御することにより、当該撮影装置が前記被写体の放射線画像の撮影を行い、
前記１つの処理装置が前記撮影装置から放射線画像情報を取得して画像処理を行うことを特徴とする。
【００２４】
これらの発明では、撮影装置の仕様形態に対応した仕様形態からなる処理装置の中から、処理可能な状態にある処理装置を選択して撮影指示情報を供給することにより、放射線画像の撮影処理、取得した放射線画像情報に対する画像処理等を効率的に行うことができる。
【発明の効果】
【００２５】
本発明では、撮影指示情報を仕様形態に応じて選択した処理装置に供給し、選択した処理処置により対応する撮影装置を制御して、放射線画像の撮影処理を効率的に行うことができる。
【００２６】
また、本発明では、撮影装置の仕様形態に対応した仕様形態からなる処理装置の中から、処理可能な状態にある処理装置を選択して撮影指示情報を供給することにより、放射線画像の撮影処理、取得した放射線画像情報に対する画像処理等を効率的に行うことができる。
【図面の簡単な説明】
【００２７】
【図１】本実施形態の放射線画像撮影システムの構成図である。
【図２】図１に示すシステムの模式的説明図である。
【図３】図１に示すホストコンソール、第１撮影装置及び第２撮影装置を含む構成ブロック図である。
【図４】本実施形態の放射線変換パネルの回路構成図である。
【図５】本実施形態の読取装置の構成図である。
【図６】図１に示すシステムの動作を説明するためのフローチャートである。
【図７】図６のステップＳ４の詳細を説明するためのフローチャートである。
【発明を実施するための形態】
【００２８】
図１及び図２は、本実施形態の放射線画像撮影システム１０の構成を示す。放射線画像撮影システム１０は、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）と、医師による診断読影を行うためのビューア１５と、放射線科の撮影室に隣接する処理室に設置され、図示しないメモリに格納されたプログラムを実行することにより、仕様の異なる各種撮影装置を管理制御するホストコンソール１６と、前記処理室に設置され、特定の撮影装置を管理制御する第１コンソール１８及び第２コンソール２０と、第１コンソール１８により制御される第１撮影装置２２と、第２コンソール２０により制御される第２撮影装置２４と、第２コンソール２０により制御され、第２撮影装置２４により撮影された放射線画像情報を読み取る読取装置２６とを備え、これらが院内ネットワーク２８によって相互に接続されている。院内ネットワーク２８には、必要に応じてさらに他のコンソール、撮影装置等を接続することができる。
【００２９】
ホストコンソール１６は、前記プログラムを実行して、ＨＩＳ１２を用いて設定した患者の氏名、性別、年齢等の患者情報、ＲＩＳ１４を用いて医師又は技師が設定した当該患者に対する放射線画像の撮影方法、撮影部位、撮影に使用する撮影装置等の撮影指示情報を院内ネットワーク２８を介して取得し、これらの情報を対応する第１コンソール１８又は第２コンソール２０に供給する。また、ホストコンソール１６は、第１コンソール１８又は第２コンソール２０による処理を代行することもできる。従って、第１コンソール１８又は第２コンソール２０をホストコンソール１６に置き換えることで、より安価なシステム構成とすることができる。ホストコンソール１６及び第２コンソール２０には、後述する第２撮影装置２４に適用される放射線変換パネルを特定するためのＩＤ情報を取得するバーコードリーダ３０、３２がそれぞれ接続される。
【００３０】
図３は、ホストコンソール１６、第１撮影装置２２及び第２撮影装置２４の構成ブロック図である。
【００３１】
ホストコンソール１６の制御部３４は、院内ネットワーク２８を介して、ＲＩＳ１４、第１コンソール１８、第２コンソール２０、第１撮影装置２２、第２撮影装置２４、読取装置２６との間で必要な情報の送受信を行う。ホストコンソール１６は、操作設定部３６と、操作設定部３６を用いて撮影指示情報を設定し、あるいは、ＲＩＳ１４で設定された撮影指示情報を受け取り、撮影指示情報メモリ３８に記憶させる撮影指示情報設定部４０と、設定された撮影指示情報に従い、放射線画像情報を処理する特定の第１コンソール１８又は第２コンソール２０を選択し、対応する撮影指示情報を選択された第１コンソール１８又は第２コンソール２０に供給するコンソール選択部４２と、第１撮影装置２２又は第２撮影装置２４から取得した放射線画像情報に対する画像処理を行う画像処理部４４と、画像処理された放射線画像情報を記憶する画像メモリ４６と、放射線画像情報を表示する表示部４８とを備える。
【００３２】
第１コンソール１８及び第２コンソール２０は、ＲＩＳ１４から撮影指示情報を取得する機能を有する制御部３４と、コンソール選択部４２とを除き、ホストコンソール１６と略同一の機能を備える。なお、ホストコンソール１６と、第１コンソール１８と、第２コンソール２０とは、必ずしも異なる構成である必要はなく、同一構成としてもよい。
【００３３】
第１撮影装置２２は、被写体５０のマンモ５２の放射線画像を撮影するマンモグラフィ装置であり、図２に示すように、基台５４に対して旋回可能に連結されたアーム部材５６の一端部に配設された放射線源収納部５８と、アーム部材５６の他端部に配設された撮影台６０と、撮影台６０に対して近接離間可能に構成された圧迫板６２とを備える。
【００３４】
放射線源収納部５８には、放射線Ｘを出力する放射線源６４が収納される。放射線源６４は、放射線源制御部６６によって管電圧、管電流及び放射線Ｘの照射時間が制御されることで、撮影部位に応じた所定の線量からなる放射線Ｘを被写体５０のマンモ５２に照射する。
【００３５】
撮影台６０には、図４に示す回路構成からなる放射線変換パネル７０が収納される。
【００３６】
放射線変換パネル７０は、放射線を感知して電荷を発生させるアモルファスセレン（ａ−Ｓｅ）等の物質からなる光電変換層７２を行列状の薄膜トランジスタ（ＴＦＴ：Ｔｈｉｎ  Ｆｉｌｍ  Ｔｒａｎｓｉｓｔｏｒ）７４のアレイの上に配置した構造を有し、発生した電荷を蓄積容量７６に蓄積した後、各行毎にＴＦＴ７４を順次オンにして、電荷を画像信号として読み出す。図４では、光電変換層７２及び蓄積容量７６からなる１つの画素７８と１つのＴＦＴ７４との接続関係のみを示し、その他の画素７８の構成については省略している。なお、アモルファスセレンは、高温になると構造が変化して機能が低下してしまうため、所定の温度範囲内で使用する必要がある。従って、撮影台６０内に放射線変換パネル７０を冷却する手段を配設することが好ましい。
【００３７】
各画素７８に接続されるＴＦＴ７４には、行方向と平行に延びるゲート線８０と、列方向と平行に延びる信号線８２とが接続される。各ゲート線８０は、ライン走査駆動部８４に接続され、各信号線８２は、読取回路を構成するマルチプレクサ８６に接続される。
【００３８】
ゲート線８０には、行方向に配列されたＴＦＴ７４をオンオフ制御する制御信号Ｖｏｎ、Ｖｏｆｆがライン走査駆動部８４から供給される。この場合、ライン走査駆動部８４は、ゲート線８０を切り替える複数のスイッチＳＷ１と、スイッチＳＷ１の１つを選択する選択信号を出力するアドレスデコーダ８８とを備える。アドレスデコーダ８８には、制御部１００からアドレス信号が供給される。
【００３９】
また、信号線８２には、列方向に配列されたＴＦＴ７４を介して各画素７８の蓄積容量７６に保持されている電荷が流出する。この電荷は、増幅器９２によって増幅される。増幅器９２には、サンプルホールド回路９４を介してマルチプレクサ８６が接続される。マルチプレクサ８６は、信号線８２を切り替える複数のスイッチＳＷ２と、スイッチＳＷ２の１つを選択する選択信号を出力するアドレスデコーダ９６を備える。アドレスデコーダ９６には、制御部１００からアドレス信号が供給される。マルチプレクサ８６には、Ａ／Ｄ変換器９８が接続され、Ａ／Ｄ変換器９８によってデジタル信号に変換された放射線画像情報が制御部１００に供給される。制御部１００は、取得した放射線画像情報を院内ネットワーク２８を介して、第１撮影装置２２を制御する第１コンソール１８に供給する。
【００４０】
なお、スイッチング素子として機能するＴＦＴ７４は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００４１】
第２撮影装置２４は、被写体５０の胸部等の放射線画像を撮影する立位撮影装置であり、放射線源制御部１０２によって制御される放射線源１０４と、放射線源１０４に対向して配置される撮影台１０８とから構成される。撮影台１０８の側部には、蓄積性蛍光体パネルＰを収納したカセッテ１１０の装填されるスロット１１２が配設される。第２撮影装置２４は、院内ネットワーク２８を介して第２コンソール２０により制御される。
【００４２】
蓄積性蛍光体パネルＰは、照射された放射線Ｘのエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００４３】
カセッテ１１０は、蓄積性蛍光体パネルＰを蓋部材１１４を介して収脱可能に収納するもので、その外面部には、内部に収納されている蓄積性蛍光体パネルＰを個別に識別するための固有番号、サイズ、感度等の識別情報が記録されたバーコード１１６が装着される。バーコード１１６は、第２コンソール２０に接続されたバーコードリーダ３２、又は、ホストコンソール１６に接続されたバーコードリーダ３０によって読み取ることができる。
【００４４】
蓄積性蛍光体パネルＰに記録された放射線画像情報は、図５に示すように構成される読取装置２６によって読み取られる。なお、読取装置２６は、第２撮影装置２４とともに、第２コンソール２０により制御される。
【００４５】
読取装置２６は、ケーシング１１８の上部にカセッテ装填部１２０を備え、このカセッテ装填部１２０に形成された装填口１２２に対して、放射線画像情報が蓄積記録された蓄積性蛍光体パネルＰを収納したカセッテ１１０が装填される。装填口１２２に近接して、カセッテ１１０に配設されたバーコード１１６の識別情報を読み取るバーコードリーダ１２４と、カセッテ１１０の蓋部材１１４のロックを解除するロック解除機構１２６と、蓋部材１１４が開蓋されたカセッテ１１０から蓄積性蛍光体パネルＰを吸着して取り出す吸着盤１２８と、吸着盤１２８によって取り出された蓄積性蛍光体パネルＰを挟持搬送するニップローラ１３０とが配設される。
【００４６】
ニップローラ１３０に連設して、複数の搬送ローラ１３２ａ〜１３２ｇ及び複数のガイド板１３４ａ〜１３４ｆが配設され、これらにより湾曲搬送路１３６が構成される。湾曲搬送路１３６は、カセッテ装填部１２０から下方向に延在した後、最下部において略水平状態となり、次いで、略鉛直上方向に延在する。これにより、読取装置２６の小型化が達成される。
【００４７】
ニップローラ１３０と搬送ローラ１３２ａとの間には、読取処理が終了した蓄積性蛍光体パネルＰに残存する放射線画像情報を消去するための消去部１３８が配設される。消去部１３８は、消去光を出力する冷陰極管等の消去光源１４０を有する。
【００４８】
湾曲搬送路１３６の最下部に配設される搬送ローラ１３２ｄ、１３２ｅ間には、プラテンローラ１４２が配設される。そして、プラテンローラ１４２の上部には、蓄積性蛍光体パネルＰに蓄積記録された放射線画像情報を読み取る走査ユニット１４４が配設される。
【００４９】
走査ユニット１４４は、励起光であるレーザビームＬＢを導出して蓄積性蛍光体パネルＰを走査する励起部１４６と、レーザビームＬＢによって励起されて出力される放射線画像情報に係る輝尽発光光を読み取る読取部１４８とを備える。
【００５０】
励起部１４６は、レーザビームＬＢを出力するレーザ発振器１５０と、レーザビームＬＢを蓄積性蛍光体パネルＰの主走査方向に偏向する回転多面鏡であるポリゴンミラー１５２と、レーザビームＬＢを反射させ、プラテンローラ１４２上を通過する蓄積性蛍光体パネルＰに導く反射ミラー１５４とを備える。
【００５１】
読取部１４８は、一端部がプラテンローラ１４２上の蓄積性蛍光体パネルＰに近接して配置される集光ガイド１５６と、集光ガイド１５６の他端部に連結され、蓄積性蛍光体パネルＰから得られた輝尽発光光を電気信号に変換するフォトマルチプライヤ１５８とを備える。なお、集光ガイド１５６の一端部には、輝尽発光光の集光効率を高めるための集光ミラー１６０が近接して配設される。なお、フォトマルチプライヤ１５８によって読み取られた放射線画像情報は、院内ネットワーク２８を介して第２コンソール２０に供給される。
【００５２】
院内ネットワーク２８には、図４に示す放射線変換パネル７０を使用した第１撮影装置２２であるマンモグラフィ装置に加えて、図２に示す蓄積性蛍光体パネルＰを有するカセッテ１１０を使用したマンモグラフィ装置を接続することができる。同様に、図２に示す蓄積性蛍光体パネルＰを使用した第２撮影装置２４に加えて、図４に示す放射線変換パネル７０を使用した立位撮影装置を接続することができる。また、放射線変換パネル７０又は蓄積性蛍光体パネルＰを使用した臥位撮影装置を接続することができる。院内ネットワーク２８には、さらに、他の仕様形態の撮影装置、例えば、ＣＴ装置、ＭＲ装置を接続することができるとともに、これらの撮影装置を制御するコンソール（処理装置）を接続することができる。
【００５３】
本実施形態の放射線画像撮影システム１０は、基本的には以上のように構成されるものであり、次にその動作（撮影指示情報の供給方法及び放射線画像撮影方法）について、図６及び図７のフローチャートを参照しながら説明する。
【００５４】
先ず、ＨＩＳ１２を用いて、患者の氏名、性別、年齢等の患者情報が設定され、次いで、当該患者情報に関連させて、放射線画像の撮影方法、撮影部位、撮影に使用する撮影装置等の撮影指示情報がＲＩＳ１４を用いて設定される（ステップＳ１）。
【００５５】
放射線科に設置されているホストコンソール１６の制御部３４は、図示しないメモリに格納されたプログラムを実行することにより、院内ネットワーク２８を介して、ＲＩＳ１４から患者情報及び撮影指示情報を取得する（ステップＳ２）。また、技師は、ホストコンソール１６の操作設定部３６を用い、必要に応じて撮影指示情報の変更、設定を行う。例えば、ＲＩＳ１４を用いて医師が設定した撮影装置を、撮影部位や患者の状態に対応した撮影装置に変更する。撮影指示情報設定部４０は、取得した患者情報及び撮影指示情報、又は、変更若しくは新たに設定された撮影指示情報を一旦撮影指示情報メモリ３８に記憶させる（ステップＳ３）。
【００５６】
次いで、ホストコンソール１６の撮影指示情報設定部４０は、撮影指示情報メモリ３８から患者情報及び撮影指示情報を読み出す。コンソール選択部４２は、読み出された撮影指示情報に従い、該当する第１撮影装置２２を制御する第１コンソール１８、第２撮影装置２４を制御する第２コンソール２０、あるいは、院内ネットワーク２８に接続されている該当する他のコンソールを選択する（ステップＳ４）。
【００５７】
この場合、コンソール選択部４２は、撮影指示情報によって指定されている撮影装置を制御する処理装置が、処理可能な状態にあるか否かを判定する（ステップＳ４１）。例えば、該当する処理装置が撮影装置を制御して撮影処理を行っており、あるいは、該当する処理装置が撮影装置から取得した放射線画像情報に対する画像処理を行っており、次の撮影処理を直ちに実行できない処理状況にある場合（ステップＳ４１：ＮＯ）、当該処理装置は処理不可能な状態にあると判定する。また、該当する処理装置又はそれによって制御される撮影装置が故障状況にある場合、当該処理装置は処理不可能な状態にあると判定する（ステップＳ４１：ＮＯ）。該当する処理装置が処理不可能と判定されたとき、コンソール選択部４２は、撮影指示情報に従った撮影処理が可能で、且つ、処理可能な状態にある他の処理装置を検索する（ステップＳ４２）。
【００５８】
ステップＳ４２の検索処理により、処理可能な状態にある処理装置（コンソール）を１つでも検索でき（ステップＳ４３：ＹＥＳ）、且つ、検索できた処理装置が複数あれば（ステップＳ４４：ＹＥＳ）、コンソール選択部４２は、処理可能な状態にある複数の処理装置の中から１つの処理装置を前記他の処理装置として選択する（ステップＳ４５）。
【００５９】
ここで、ステップＳ４５に関し、コンソール選択部４２は、下記（１）〜（５）のいずれかの処理を行うことにより、処理可能な状態にある複数の処理装置の中から、上述した１つの処理装置を前記他の処理装置として選択する。
【００６０】
（１）第１コンソール１８、第２コンソール２０及び他のコンソールが登録された登録テーブルをホストコンソール１６が保持している場合に、コンソール選択部４２は、該登録テーブル中の各コンソールの登録順序に従って、１つの処理装置（コンソール）を選択する。
【００６１】
（２）第１コンソール１８、第２コンソール２０及び他のコンソールにそれぞれのコンソールを識別するための識別番号が割り当てられている場合に、コンソール選択部４２は、該識別番号に従って１つの処理装置（コンソール）を選択する。なお、前記登録テーブルに各コンソールの識別番号が登録されていれば、コンソール選択部４２は、該登録テーブル中の識別番号に従って１つの処理装置を選択することも可能である。
【００６２】
（３）複数の処理装置は、いずれも処理可能な状態にあるため、コンソール選択部４２は、複数の処理装置の中からランダムに１つの処理装置を選択する。
【００６３】
（４）コンソール選択部４２は、過去の使用頻度を考慮して、複数の処理装置の中から１つの処理装置を選択する。
【００６４】
（５）コンソール選択部４２は、次に予定されている撮影を行う撮影装置を制御する処理装置以外の処理装置に対して、上記（１）〜（４）のいずれかの処理を行うことにより、複数の処理装置の中から１つの処理装置を選択する。
【００６５】
なお、ステップＳ４４において、検索できた処理装置が１つのみであった場合（ステップＳ４４：ＮＯ）、コンソール選択部４２は、検索できた１つの処理装置を前記他の処理装置として選択する（ステップＳ４６）。
【００６６】
また、ステップＳ４３において、ステップＳ４２の検索処理を行っても、処理可能な状態にある処理装置を検索できなかった場合に（ステップＳ４３：ＮＯ）、コンソール選択部４２は、使用可能な処理装置（処理可能な状態にある処理装置）が検索できるまで待つか、あるいは、第１コンソール１８、第２コンソール２０及び他のコンソールのうち、最も早く処理が完了すると予想される処理装置を前記他の処理装置として仮決めする（ステップＳ４７）。
【００６７】
さらに、ステップＳ４１において、撮影指示情報により指定された撮影装置を制御するコンソールが処理可能な状態にあれば、指定されたコンソール（処理装置）を選択する（ステップＳ４８）。
【００６８】
上記のステップＳ４５〜Ｓ４８によって、処理可能な状態にある処理装置が選択された後、ホストコンソール１６の制御部３４は、患者情報及び撮影指示情報を選択された第１コンソール１８、第２コンソール２０又は他のコンソールに送信し（ステップＳ５）、送信が完了したことを確認して、撮影指示情報メモリ３８の当該患者情報及び撮影指示情報を削除する（ステップＳ６）。
【００６９】
なお、例えば、撮影指示情報が被写体５０の胸部撮影である場合、コンソール選択部４２は、胸部撮影を行うための第２撮影装置２４を制御する第２コンソール２０を選択し、第２コンソール２０に対して患者情報及び撮影指示情報を送信する。また、撮影指示情報が被写体５０のマンモ５２の撮影である場合、コンソール選択部４２は、マンモ５２の撮影を行う第１撮影装置２２を制御する第１コンソール１８を選択し、第１コンソール１８に対して患者情報及び撮影指示情報を送信する。
【００７０】
さらに、コンソールの選択の態様として、撮影部位が胸部であるが、例えば、車椅子を使用する被写体５０の場合、図２に示す形態からなる第２撮影装置２４では、撮影台１０８に対して被写体５０を位置決めできないおそれがある。この場合、車椅子を使用する被写体５０に対応することのできる撮影装置が院内ネットワーク２８に接続されている場合、コンソール選択部４２は、患者情報に従って当該撮影装置を選択し、その撮影装置を制御するコンソールに対して撮影指示情報を送信することができる。
【００７１】
さらにまた、同一の被写体５０に対して、一部の撮影を第１撮影装置２２で行い、残りの撮影を第２撮影装置２４で行うこともあり得る。この場合、コンソール選択部４２は、撮影部位に係る撮影指示情報に従い、該当するコンソールを選択し、各コンソールに対して選択された患者情報及び撮影指示情報を送信する。
【００７２】
なお、ホストコンソール１６が異なる仕様形態からなる複数の撮影装置の処理を行うことができる処理装置である場合、第１コンソール１８又は第２コンソール２０に代えて、ホストコンソール１６を第１撮影装置２２又は第２撮影装置２４を処理するコンソールとして選択することもできる。
【００７３】
患者情報及び撮影指示情報が送信されたコンソールは、撮影指示情報に従い、管理下にある撮影装置を用いた放射線画像の撮影処理を遂行する（ステップＳ７）。
【００７４】
そこで、先ず、第１コンソール１８を用いて第１撮影装置２２を制御し、被写体５０のマンモ５２の撮影を行う場合について説明する。
【００７５】
ホストコンソール１６から撮影指示情報を受信した第１コンソール１８は、第１撮影装置２２の放射線源制御部６６に対し、撮影指示情報に含まれる撮影条件である管電圧、管電流及び放射線の照射時間を設定する。
【００７６】
一方、技師は、第１撮影装置２２を操作して撮影の準備を行う。すなわち、アーム部材５６を旋回させることで撮影方向を設定した後、被写体５０のマンモ５２を撮影台６０に位置決めし、圧迫板６２を撮影台６０に指向して移動させることにより、マンモ５２を所定の状態に位置決め固定する。
【００７７】
次いで、図示しない曝射スイッチを操作することにより、撮影を開始する。放射線源制御部６６は、設定された撮影条件に従って放射線源６４を駆動制御し、圧迫板６２を介して放射線Ｘをマンモ５２に照射する。マンモ５２を透過した放射線Ｘは、放射線変換パネル７０に照射される。
【００７８】
放射線変換パネル７０（図４）を構成する各画素７８の光電変換層７２は、入射した放射線Ｘを電気信号に変換し、その電気信号が蓄積容量７６に電荷として保持される。次いで、各蓄積容量７６に保持された被写体５０のマンモ５２の放射線画像情報である電荷情報は、制御部１００からライン走査駆動部８４及びマルチプレクサ８６に供給されるアドレス信号に従って読み出される。
【００７９】
すなわち、ライン走査駆動部８４のアドレスデコーダ８８は、制御部１００から供給されるアドレス信号に従って選択信号を出力してスイッチＳＷ１の１つを選択し、対応するゲート線８０に接続されたＴＦＴ７４のゲートに制御信号Ｖｏｎを供給する。一方、マルチプレクサ８６のアドレスデコーダ９６は、制御部１００から供給されるアドレス信号に従って選択信号を出力してスイッチＳＷ２を順次切り替え、ライン走査駆動部８４によって選択されたゲート線８０に接続された各画素７８の蓄積容量７６に保持された電荷情報である放射線画像情報を信号線８２を介して順次読み出す。
【００８０】
放射線変換パネル７０の選択されたゲート線８０に接続された各画素７８の蓄積容量７６から読み出された放射線画像情報は、各増幅器９２によって増幅された後、各サンプルホールド回路９４によってサンプリングされ、マルチプレクサ８６を介してＡ／Ｄ変換器９８に供給され、デジタル信号に変換される。デジタル信号に変換された放射線画像情報は、制御部１００により院内ネットワーク２８を介して第１コンソール１８に送信される（ステップＳ８）。
【００８１】
同様にして、ライン走査駆動部８４のアドレスデコーダ８８は、制御部１００から供給されるアドレス信号に従ってスイッチＳＷ１を順次切り替え、各ゲート線８０に接続されている各画素７８の蓄積容量７６に保持された電荷情報である放射線画像情報を信号線８２を介して読み出し、マルチプレクサ８６、Ａ／Ｄ変換器９８及び制御部１００を介して第１コンソール１８に送信される（ステップＳ８）。
【００８２】
第１コンソール１８は、受信した放射線画像情報に対して第１撮影装置２２の仕様に応じた画像処理を施し（ステップＳ９）、必要に応じて放射線画像を表示させて確認した後、院内ネットワーク２８を介してビューア１５に送信する。医師は、ビューア１５に送信された放射線画像情報に基づき、必要な読影診断を行う。なお、第１コンソール１８が既に受信している放射線画像情報の画像処理を行っている場合、ホストコンソール１６のコンソール選択部４２は、処理可能な他の処理装置を検索し、第１撮影装置２２により取得した放射線画像情報を検索した他の処理装置に送信して画像処理を行わせる。
【００８３】
次に、第２コンソール２０を用いて第２撮影装置２４を制御し、被写体５０の胸部撮影を行う場合について説明する。
【００８４】
ホストコンソール１６から撮影指示情報を受信した第２コンソール２０は、第２撮影装置２４の放射線源制御部１０２に対し、撮影指示情報に含まれる撮影条件である管電圧、管電流及び放射線の照射時間を設定する。
【００８５】
一方、技師は、第２コンソール２０に接続されたバーコードリーダ３２を用いて、カセッテ１１０に装着されたバーコードを読み取ることにより、カセッテ１１０に収納されている蓄積性蛍光体パネルＰを識別するための固有番号、サイズ、感度等の識別情報を取得する。
【００８６】
次いで、前記カセッテ１１０を第２撮影装置２４のスロット１１２に装填した後、図示しない曝射スイッチを操作し、撮影を開始する。放射線源制御部１０２は、設定された撮影条件に従って放射線源１０４を駆動制御し、放射線Ｘを被写体５０に照射する。被写体５０を透過した放射線Ｘは、カセッテ１１０に収納されている蓄積性蛍光体パネルＰに照射される。この結果、蓄積性蛍光体パネルＰに被写体５０の放射線画像情報が蓄積記録される。
【００８７】
放射線画像情報が記録された蓄積性蛍光体パネルＰを収納するカセッテ１１０は、第２撮影装置２４から抜き取られた後、読取装置２６のカセッテ装填部１２０に装填される。
【００８８】
カセッテ１１０が装填されると、カセッテ装填部１２０に配設されているバーコードリーダ１２４がカセッテ１１０に装着されたバーコードを読み取り、蓄積性蛍光体パネルＰの固有番号、サイズ、感度等の識別情報を取得する。取得した識別情報は、第２コンソール２０に接続されたバーコードリーダ３２によって取得した識別情報と照合されることで、被写体５０と放射線画像情報との対応関係が確認される。
【００８９】
識別情報が読み取られると、ロック解除機構１２６が駆動され、蓋部材１１４のロック状態が解除されて開蓋される。次いで、吸着盤１２８が蓄積性蛍光体パネルＰを吸着し、カセッテ１１０から蓄積性蛍光体パネルＰを取り出してニップローラ１３０間に供給する。ニップローラ１３０により挟持された蓄積性蛍光体パネルＰは、搬送ローラ１３２ａ〜１３２ｇ及びガイド板１３４ａ〜１３４ｆからなる湾曲搬送路１３６を介して、走査ユニット１４４の下部に搬送される。
【００９０】
蓄積性蛍光体パネルＰは、搬送ローラ１３２ｄ及び１３２ｅにより略水平方向に副走査搬送される。一方、励起部１４６を構成するレーザ発振器１５０から出力されたレーザビームＬＢは、高速で回転するポリゴンミラー１５２によって反射偏向された後、反射ミラー１５４を介して下面部がプラテンローラ１４２により支持された蓄積性蛍光体パネルＰに導かれ、蓄積性蛍光体パネルＰを主走査する。
【００９１】
蓄積性蛍光体パネルＰは、レーザビームＬＢが照射されることで励起され、蓄積記録されている放射線画像情報に応じた輝尽発光光を出力する。この輝尽発光光は、蓄積性蛍光体パネルＰの主走査方向に沿って近接配置された集光ガイド１５６の下端部に直接入射し、あるいは、集光ミラー１６０を介して入射する。集光ガイド１５６に入射した輝尽発光光は、内部で反射を繰り返し、上端部のフォトマルチプライヤ１５８に導かれる。フォトマルチプライヤ１５８は、入射した輝尽発光光を電気信号に変換し、これによって、蓄積性蛍光体パネルＰに蓄積記録されている放射線画像情報が読み取られる（ステップＳ８）。
【００９２】
走査ユニット１４４によって読み取られた放射線画像情報は、院内ネットワーク２８を介して第２コンソール２０に送信される。第２コンソール２０は、受信した放射線画像情報に対して第２撮影装置２４の仕様に応じた画像処理を施し（ステップＳ９）、必要に応じて放射線画像を表示させて確認した後、院内ネットワーク２８を介してビューア１５に送信する。医師は、ビューア１５に送信された放射線画像情報に基づき、必要な読影診断を行う。なお、第２コンソール２０が既に受信している放射線画像情報の画像処理を行っている場合、ホストコンソール１６のコンソール選択部４２は、処理可能な他の処理装置を検索し、第２撮影装置２４により取得した放射線画像情報を検索した他の処理装置に送信して画像処理を行わせる。
【００９３】
なお、本発明は、上述した実施形態に限定されるものではなく、本発明の主旨を逸脱しない範囲で自由に変更できることは勿論である。
【００９４】
例えば、上述した放射線変換パネル７０は、入射した放射線Ｘの線量を光電変換層７２によって電気信号に直接変換する直接変換方式の放射線検出器であるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した間接変換方式の放射線検出器を用いてもよい（特許第３４９４６８３号公報参照）。
【００９５】
また、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００９６】
さらに、本実施形態では、医師によりＨＩＳ１２にて患者情報が設定され、医師又は技師によりＲＩＳ１４にて撮影指示情報が設定され、これらの情報が院内ネットワーク２８を介してホストコンソール１６に供給され、さらに、該ホストコンソール１６から第１コンソール１８又は第２コンソール２０に供給される場合について説明した。これに代えて、ホストコンソール１６、第１コンソール１８又は第２コンソール２０で患者情報や撮影指示情報を直接設定してもよいし、あるいは、ＨＩＳ１２又はＲＩＳ１４で患者情報及び撮影指示情報を設定してもよい。
【符号の説明】
【００９７】
１０…放射線画像撮影システム
１２…ＨＩＳ
１４…ＲＩＳ
１６…ホストコンソール
１８…第１コンソール
２０…第２コンソール
２２…第１撮影装置
２４…第２撮影装置
２６…読取装置
２８…院内ネットワーク
３０、３２…バーコードリーダ
３８…撮影指示情報メモリ
４０…撮影指示情報設定部
４２…コンソール選択部
５０…被写体
【図１】
0005357562.tif 000002
【図２】
0005357562.tif 000003
【図３】
0005357562.tif 000004
【図４】
0005357562.tif 000005
【図５】
0005357562.tif 000006
【図６】
0005357562.tif 000007
【図７】
0005357562.tif 000008